(57)【要約】      （修正有）【課題】様々な大きさ、形状に自在に成形できるとともに、低コストで効率的な製造が可能な装身チェーン用の止具を提供する。【解決手段】中空部材２は、周壁で囲まれた中空の内部に、押圧部材３と案内部材４を収容する収容部Ｓを有する。中空部材２の周壁同士が対面する箇所には、収容部Ｓに通じる鎖通し孔６ａ，６ｂがそれぞれ設けてあり、周壁の上部には出没孔５を有する。押圧部材３は、被押圧部７と鎖挿通路１２を有しており、被押圧部７は、中空部材２の出没孔５から出没し、鎖挿通路１２は、押圧部材３が没したときに、中空部材２の各鎖通し孔６ａ，６ｂと連通する。案内部材４は、板ばねで形成し、押圧部材３の外周を囲むように筒型に巻いてあるとともに押圧部材３を摺動自在な状態で出没孔５まで案内し、押圧部材３の鎖挿通路１２と中空部材２の各鎖通し孔６ａ，６ｂのそれぞれに連通する開口部９を有している。【選択図】図１
2015202204.tif 000002
【特許請求の範囲】
【請求項１】
中空部材と、押圧部材と、案内部材とを備えており、
中空部材は、周壁で囲まれた中空の内部に、押圧部材と案内部材を収容する収容部を有しており、中空部材の周壁同士が対面する箇所には、収容部に通じる鎖通し孔がそれぞれ設けてあり、周壁の上部には出没孔を有しており、
押圧部材は、被押圧部と鎖挿通路を有しており、被押圧部は、中空部材の出没孔から出没するものであり、鎖挿通路は、押圧部材が没したときに、中空部材の各鎖通し孔と連通し、
案内部材は、板ばねで形成しており、押圧部材の外周を囲むように筒型に巻いてあるとともに押圧部材を摺動自在な状態で出没孔まで案内するものであり、押圧部材の鎖挿通路と中空部材の各鎖通し孔のそれぞれに連通する開口部を有していることを特徴とする装身チェーン用の止具。
【請求項２】
案内部材は、細く筒状に巻いて中空部材の出没孔から収容部に入れるとともに、板ばねの弾性復帰により収容部内で膨らんで中空部材の内壁に当接し、位置決めされることを特徴とする請求項１記載の装身チェーン用の止具。
【請求項３】
中空部材の出没孔と押圧部材は、楕円形状をなすことを特徴とする請求項１又は２記載の装身チェーン用の止具。
【発明の詳細な説明】
【技術分野】
【０００１】
本発明は、コマと呼ばれるリング状の鎖構成部材を多数連結して鎖本体を無端状にする装身チェーン用の止具に関するものである。
【背景技術】
【０００２】
装身チェーン用の止具は、金やプラチナ、銀等の貴金属原料からなるコマとよばれるリング状をなす鎖構成部材を一続きに多数連結して構成される鎖本体の一端側部に取り付けられるものである。そして、止具で鎖本体の他端側部を保持することにより、無端状にし、使用者は身体に巻いて身に着けることができるものである。
【先行技術文献】
【特許文献】
【０００３】
【特許文献１】特許第３８４８６５４号公報
【発明の概要】
【発明が解決しようとする課題】
【０００４】
上記のような装身チェーン用の止具にあっては、ボタン構造のプッシュ部のガイド筒部材が鋳造成形によるものであったことから、重量が嵩み、装身チェーンそのものが重くなり装着感を損ねるとともに、地金の使用量が増大することからコストアップを余儀なくされる問題点があった。さらに、押圧部材が正円形状をなすことで、中空部材の中で受部材が回転し、止具の中に鎖本体を受け入れるときに、押圧部材の鎖挿通路が中空部材の鎖通し孔から外部に露出しない不都合があった。また、押圧部材を中空部材の中に納まるようにし、さらに、押圧部材の出没が円滑に行われるように案内部材を精度よく成形することは容易ではなかった。このことから、止具の加工に大変な手間がかかり、短期間で効率的な製造が行えない問題点があった。  
【０００５】
本発明は、上記課題を鑑みてなされたものであり、様々な大きさ、形状に自在に成形できるとともに、低コストで効率的な製造が可能な装身チェーン用の止具を提供することにある。
【課題を解決するための手段】
【０００６】
本発明のうち請求項１記載の発明は、中空部材と、押圧部材と、案内部材とを備えており、中空部材は、周壁で囲まれた中空の内部に、押圧部材と案内部材を収容する収容部を有しており、中空部材の周壁同士が対面する箇所には、収容部に通じる鎖通し孔がそれぞれ設けてあり、周壁の上部には出没孔を有しており、押圧部材は、被押圧部と鎖挿通路を有しており、被押圧部は、中空部材の出没孔から出没するものであり、鎖挿通路は、押圧部材が没したときに、中空部材の各鎖通し孔と連通し、案内部材は、板ばねで形成しており、押圧部材の外周を囲むように筒型に巻いてあるとともに押圧部材を摺動自在な状態で出没孔まで案内するものであり、押圧部材の鎖挿通路と中空部材の各鎖通し孔のそれぞれに連通する開口部を有していることを特徴とする。
【０００７】
本発明のうち請求項２記載の発明は、案内部材は、細く筒状に巻いて中空部材の出没孔から収容部に入れるとともに、板ばねの弾性復帰により収容部内で膨らんで中空部材の内壁に当接し、位置決めされることを特徴とする。
【０００８】
本発明のうち請求項３記載の発明は、中空部材の出没孔と押圧部材は、楕円形状をなすことを特徴とする。
【発明の効果】
【０００９】
本発明の請求項１記載によれば、案内部材が板バネを筒状に丸めて形成してあることから、案内部材を丸める度合いを調整することにより、中空部材の開口の大きさに合わせて中空部を挿入することができる。これにより、案内部材を中空部材の中空部に入れたあとは、筒状に丸めてあった案内部材が緩み、その案内部材の周壁の内周側に弾性で押圧し、案内部材が中空部で位置決めされる。したがって、中空部材の中空部に案内部材を入れたときは、案内部材が中空部の内周側に当たるので、中空部の開口にあわせて位置決めを行う工程が不要となる。さらに、案内部材が板ばねにより形成してあることから、その弾性変形によって筒の径を自在に変更できるので、少ない種類の案内部材を容易するだけで様々な大きさ、形状の中空部品に対応させることができる。また、案内部材が板バネを丸めて筒状にする構造であることから、鋳物などで成形する従来のものに比べて重量が非常に軽く、また、止具の製造に使用する貴重な地金も最小限に留めることができるので、適用する装身チェーンの重量やコストの増大を抑えることが可能となる。
【００１０】
本発明の請求項２記載の発明によれば、案内部材が板ばねを丸めたものであることから、案内部材を出没孔よりも細くなるように丸めることができる。これにより、中空部材の出没孔の大きさや形状がどのようなものであっても、案内部材を丸めて中空部材の収容部に入れることができ、しかも、案内部材が収容部の中で弾性復帰することで膨らみ、これにより、収容部の周壁の内壁部を押圧することから、中空部材内での案内部材の位置決めが容易となる。さらに、案内部材を押圧部材の外周の径や形状に合わせて適宜変形させることもできるので、装飾性に富んだ装身チェーン用の止具を提供できるようになる。
【００１１】
本発明の請求項３記載の発明によれば、中空部材の出没孔と押圧部材の外周形状を楕円形状とすることにより、押圧部材が中空部材の出没孔や案内部材の内周部で回転しない。このことから、押圧部材の鎖挿通路が案内部材の開口部と常に対面した配置状態となるので、鎖本体を中空部品の鎖通し孔に通したときに容易に通すことができ、したがって、身につけやすい装身チェーン用の止具を提供できる。
【図面の簡単な説明】
【００１２】
【図１】本実施による装身チェーン用の止具の保持構造を示す斜視図である。
【図２】本実施による装身チェーン用の止具の各構成部材を示す斜視図である。
【図３（ａ）（ｂ）（ｃ）（ｄ）】本実施による装身チェーン用の止具を構成する案内部材を筒状に成形する手順を示す（ａ）は、正面図であり、（ｂ）は、平面図であり、（ｃ）と（ｄ）は、斜視図である。
【図４（ａ）（ｂ）（ｃ）（ｄ）】（ａ）（ｂ）（ｃ）（ｄ）は、本実施による装身チェーン用の止具を構成する案内部材を中空部材に取り付けるときの手順を示す斜視図である。
【図５（ａ）（ｂ）（ｃ）（ｄ）】本実施による装身チェーン用の止具に鎖本体を取り付ける前の状態を示す（ａ）は、正面視した縦断面図であり、（ｂ）は、側面視した縦断面図である。また、本実施による装身チェーン用の止具を取り付けた後の状態を示す（ｃ）は、正面視した縦断面図であり、（ｄ）は、側面視した縦断面図である。
【図６】本実施による装身チェーン用の止具を有する装身具の全体を示す斜視図である。
【図７】本発明の他の実施形態を示す斜視図である。
【発明を実施するための形態】
【００１３】
以下に、図面に基づいて本実施による装身チェーン用の止具について説明する。
本実施による装身チェーン用の止具１は、図１と図２ように、中空部材２と、押圧部材３と、案内部材４とから構成されている。また、上記の止具１は、金や銀、プラチナなどの貴金属原料からなる鎖本体１１を挿通し、その鎖本体１１の外周部を保持することにより、鎖本体１１を無端状にするものである。また、本実施による装身チェーンを構成する鎖本体１１には、一例としてボールチェーン１１が使用されている。
【００１４】
中空部材２は、本実施のものでは、ほぼ球状をなす周壁により囲まれた中空構造であり、上部が開口して出没孔５を設けているとともに、周壁の対面する２カ所に鎖通し孔６ａ，６ｂがそれぞれ設けてある。押圧部材３は、図１と図２のように、上部に指を当てる丸みを帯びた被押圧部７を有する円筒形状をなすものである。また、押圧部材３の下端部には、後述するがコイルばね（付勢部材）８を受ける板状をなす受部材１３が配置してある。さらに、押圧部材３の周壁の対面する二箇所には切欠部１２ａ，１２ｂが設けてあり、この各切欠部１２ａ，１２ｂにより鎖挿通路１２が形成してある。案内部材４は、図３（ａ）乃至（ｄ）のように、一方に長い帯状で且つ矩形をなす板ばねが使用されている。また、板ばねの中央部は刳り貫かれており、そこにボールチェーン１１を挿通するための開口部９を設けている。また、案内部材４は、上記した板ばねを筒状に巻いて筒型に成形されており、その巻き付けの度合いによって筒の径を任意に変更できるものである。
【００１５】
上記した各々の構成部材により、本実施による装身チェーン用の止具は、図１、図２及び図４（ａ）（ｂ）のように、中空部材２の収容部Ｓに丸めた案内部材４を挿入する。さらに、中空部材２の内周部にコイルばね８を固定し、案内部材４の底部にコイルばね８を配置する。そして、コイルばね８の上に押圧部材３の受部材１３を載せ、押圧部材３をコイルばね８で常に上方に付勢力が働くように  するとともに、押圧部材３の外周部を中空部材２の内周部に係止する。これにより、押圧部材３は、中空部材２の出没孔５から被押圧部７が出没自在となるように配置されることになる。このときに、案内部材４を筒状に丸めると、その筒の周壁の広い範囲を開口部９が占めることになる。そして、案内部材４を中空部材２の収容部Ｓに収容したときには、中空部材２の周壁の対面する２カ所の鎖通し孔６ａ，６ｂと案内部材４の開口部９が一致し、中空部材２の各鎖通し孔６ａ，６ｂ、案内部材４の開口部９で鎖本体１１の挿通するスペースが形成される。さらに、案内部材４の内周側に押圧部材３を上下に摺動自在に挿入したとき、押圧部材３の鎖挿通路１２の各切欠部１２ａ，１２ｂは、押圧部材３が平面視して楕円形状をなすことで、押圧部材３が案内部材４の周壁内周部に沿って回転することなく、これにより、案内部材４の開口部９に対して開口する方向が位置決めされる。
これにより、押圧部材３の鎖挿通路１２の入口と出口は、方向を合わせて案内部材４に挿入するだけで、案内部材４の開口部９及び中空部材２の鎖通し孔６ａ，６ｂと一致し、さらに、案内部材４が出没しても位置がずれることがない。
【００１６】
次に、上記した本実施による止具にボールチェーン１１を取り付けるときの手順、および止具の作動状態を以下に説明する。
ボールチェーン１１を止具１で保持するときに、図５（ａ）（ｂ）のように、まず、止具１の押圧部材３を押し込むことで、押圧部材３がコイルばね８の付勢力に逆らって押し下がる。このときに、押圧部材３の鎖挿通路１２の入口が案内部材４の開口部９と連通するとともに、中空部材２の鎖通し孔６ａ，６ｂからも鎖挿通路１２と案内部材４の開口部９が露出する。そして、ボールチェーン１１を止具１の中空部材２の一方の鎖通し孔６ａから挿入し、挿入したボールチェーン１１をさらに押し込んで案内部材４の開口部９、押圧部材３の鎖挿通路１２と通すことで、中空部材２の他方の鎖通し孔６ｂからボールチェーン１１の差し込み先端側から抜き出される。そして、図５（ｃ）（ｄ）のように、被押圧部７から指を離すと、押圧部材３がコイルばね８の付勢力で持ち上がり、受部材１３と案内部材４の開口部９の上端部との間にボールチェーン１１を挟んで保持することになる。また、止具１のボールチェーン１１を保持する位置を調整するときは、押圧部材３の被押圧部を押し込めば、止具１とボールチェーン１１の保持状態が解除されるので、止具１をボールチェーン１１の任意の箇所に位置させることができる。案内部材４の開口の上下端縁はほぼ直線状になっており、また、押圧部材３の鎖挿通路１２も入口と出口についても対面位置となっている。これにより、止具１で保持したときのボールチェーン１１と止具１の接点が小さくなるので、止具１のボールチェーン１１からの着脱が円滑に行えるとともに、外周部に凹凸が多い種類のボールチェーン１１であっても、止具１をスムーズに摺動することができる。
【００１７】
本発明の装身チェーン用の止具１は、保持する対象となる鎖本体１１，２１として、上記したボールチェーン１１のほか、喜平２１あるいはあずき型のものにおいても使用することができる。図７のように、止具１により、鎖本体２１が喜平２１あるいはあずき型と呼ばれるリング状をなすコマを一続きに多数連ねたものを保持する。このような場合でも、鎖本体２１は、その長手方向の端部を中空部材２の鎖通し孔６ａ，６ｂから入れ、さらに、押圧部材３を指で押し込んで、押圧部材３の鎖挿通路１２と案内部材４の開口部９を開放することにより、鎖本体２１を止具１の中を連通させることができる。さらに、押圧部材３の被押圧部７から指を離すことで、コイルばね８の付勢力で押圧部材３が上方に移動する。このときに、押圧部材３の受部材１３の上面と、案内部材４の開口部９の上側内周部とで鎖本体１１の外周部を挟み込むことにより、止具１で鎖本体２１を保持する。
【００１８】
本発明による装身チェーン用の止具１は、案内部材４を筒状に細く丸め、その細く丸めた筒状の案内部材４が弾性復帰したときに、弾性に逆らって丸められた案内部材４が緩んで中空部材２の周壁の内周面を板ばねの弾性によって押圧するので、案内部材４が位置決めされた状態で配置できるものであればよい。また、押圧部材３の被押圧部７、中空部材２の出没孔５の形状については、案内部材４が板ばねを丸めて形成するものであることから、自由に形状を変えることができるので、正円以外の形状であれば六角形や八角形などの多角形状ほか、押圧部材３が案内部材４の内周部に沿って空回りしない形状であればよい。案内部材４は、中空部材２の収容部Ｓで拡がって押圧部材３の外周を囲む周壁を形成するが、押圧部材３が案内部材４から離脱しない範囲であれば、案内部材４の周壁の両側端部４ａ，４ｂの間に僅かな隙間があく状態であってもよいし、また、押圧部材３の摺動を妨げなければ、周壁の両側端部が重なる状態であってもよい。また、付勢部材８についても、コイルばねの他、中空部材２の中に取り付けて押圧部材３に付勢力を付与するものであれば、板ばねやその他のものであってもよい。
【符号の説明】
【００１９】
１  止具
２  中空部材
３  押圧部材
４  案内部材
４ａ，４ｂ  端部
５  出没孔
６ａ，６ｂ  鎖通し孔
７  被押圧部
８  コイルばね（付勢部材）
９  開口部
１１  ボールチェーン（鎖本体）
１２  鎖挿通路
１２ａ，１２ｂ  切欠部
１３  受部材
２１  喜平（鎖本体）
Ｓ  収容部
【図１】
2015202204.tif 000003
【図２】
2015202204.tif 000004
【図３（ａ）（ｂ）（ｃ）（ｄ）】
2015202204.tif 000005
【図４（ａ）（ｂ）（ｃ）（ｄ）】
2015202204.tif 000006
【図５（ａ）（ｂ）（ｃ）（ｄ）】
2015202204.tif 000007
【図６】
2015202204.tif 000008
【図７】
2015202204.tif 000009